(57)【要約】【課題】  止水剤の塗布量を一定にすることができ、止水シートを巻回の都度持ち込む手間がなくなるワイヤーハーネスの止水部形成方法、ワイヤーハーネスの止水部形成治具およびワイヤーハーネスを得る。【解決手段】  複数の電線１が束ねられた電線束３の所定位置における各電線１の周面間に止水剤１１を充填することにより止水部１７を形成するために、一対の支持部２５を水平方向に沿って離間配置させるとともに、各支持部２５により電線束３を略水平、かつ、所定高さに支持させ、次いで各支持部間における電線束３の所定位置に止水剤１１を塗布して内部に浸透させて止水部１７を形成した後、止水部１７を止水シート１３により巻回被覆するワイヤーハーネスの止水部形成方法であって、あらかじめ各支持部間における下方に配置した受部材２７に止水シート１３を載置しておき、止水シート１３により電線束３から漏洩する止水剤１１を受け止めた後、止水シート１３を止水部１７に巻回被覆する。【選択図】        図１
2005071792.tif 000002
【特許請求の範囲】
【請求項１】
複数の電線が束ねられた電線束の所定位置における前記各電線の周面間に止水剤を充填することにより止水部を形成するために、
一対の支持部を水平方向に沿って離間配置させるとともに、前記各支持部により前記電線束を略水平、かつ、所定高さに支持させ、次いで前記各支持部間における前記電線束の所定位置に前記止水剤を塗布して内部に浸透させて前記止水部を形成した後、前記止水部を止水シートにより巻回被覆するワイヤーハーネスの止水部形成方法であって、
あらかじめ前記各支持部間における下方に配置した受部材に前記止水シートを載置しておき、前記止水シートにより前記電線束から漏洩する前記止水剤を受け止めた後、前記止水シートを前記止水部に巻回被覆することを特徴とするワイヤーハーネスの止水部形成方法。
【請求項２】
複数の電線が束ねられた電線束の所定位置における前記各電線の周面間に止水剤を充填することにより止水部を形成するために、
前記電線束を略水平、かつ、所定高さに支持するために一対の支持部が水平方向に沿って離間配置されたワイヤーハーネスの止水部形成治具であって、
前記各支持部間における下方に配置された受部材を有し、前記受部材が止水シートを載置可能であるとともに、前記電線束から漏洩する前記止水剤を受け止め可能であることを特徴とするワイヤーハーネスの止水部形成治具。
【請求項３】
前記受部材が上下動可能であることを特徴とする請求項２に記載したワイヤーハーネスの止水部形成治具。
【請求項４】
前記受部材が揺動可能であることを特徴とする請求項２に記載したワイヤーハーネスの止水部形成治具。
【請求項５】
前記受部材の載置面が凹状の円弧面であることを特徴とする請求項２に記載したワイヤーハーネスの止水部形成治具。
【請求項６】
請求項１に記載のワイヤーハーネスの止水部形成方法により製作されたことを特徴とするワイヤーハーネス。
【発明の詳細な説明】
【技術分野】
【０００１】
本発明は、ワイヤーハーネスの止水部形成方法、ワイヤーハーネスの止水部形成治具およびワイヤーハーネスに係り、例えば各電線の周面間に止水剤を塗布して形成する止水部に対し、止水剤の充填性を高めることができるワイヤーハーネスの止水部形成方法、ワイヤーハーネスの止水部形成治具およびワイヤーハーネスに関する。
【背景技術】
【０００２】
従来より、自動車のエンジンルームから車室内へワイヤーハーネスを配線するためにグロメットが使用されている。このグロメットは、エンジンルームと車室内とを仕切るパネルにワイヤーハーネスを通すためのもので、パネルの取付孔に嵌め込んで取付孔を密閉状態に保ちながらワイヤーハーネスを貫通させるものである。このグロメットのワイヤーハーネス貫通部は、止水処置の施されるのが普通である。
【０００３】
具体的には、図７（ａ）に示すワイヤーハーネスとなる電線１を束ねた電線束３を、車両上での配索状態に癖付け成形するための止水部形成治具５上に支持する。支持は、止水部形成治具５上に立設した音叉形状の支持部７、７を用いる。次いで、支持部７、７間の電線束３の表面に、図７（ｂ）に示す止水剤塗布ノズル９によって、未固化状態の止水剤１１を塗布する。その後、図７（ｃ）に示すように、止水剤１１を塗布した電線束３を、束ねるための止水シート１３を貼付する（例えば特許文献１参照）。
【０００４】
次いで、電線束３を支持部７、７から外した状態にし、止水シート１３を巻き締めて、電線束３を円形断面の電線束に結束する。さらに、図７（ｄ）に示すように、止水シート１３の両端にテープ１５、１５を巻き付けて、電線束の断面形状を、グロメットのワイヤーハーネス貫通部に挿通可能な円形に整形する。これにより、図７（ｅ）に示す止水部１７を形成する。
【０００５】
また、他の止水処理方法として、図８に示すように、電線束３を、グロメット１９のワイヤーハーネス貫通部１９ａに挿通する。そして、ワイヤーハーネス貫通部１９ａに止水剤１１を充填することによりワイヤーハーネス貫通部１９ａ、すなわち、ワイヤーハーネスＷを貫通させるグロメット１９の挿通部位を止水処置していた。
【特許文献１】特許第３１９８９６２号公報
【発明の開示】
【発明が解決しようとする課題】
【０００６】
ところで、従来の止水部形成治具は、一対の支持部を水平方向に沿って離間配置させるとともに、各支持部により電線束を略水平、かつ、所定高さに支持させ、各支持部間における電線束の所定位置に止水剤を塗布して内部に浸透させていた。
【０００７】
しかしながら、特に粘度の低い止水剤が用いられた場合には、電線束に塗布した止水剤が止水部から垂れてしまい、その結果、止水部への止水剤塗布量が一定にならない虞があった。この問題に対して、粘度の高い止水剤を用いれば、浸透性が低下し、止水部の中心に、止水剤の充填されない隙間の生じる虞れがあった。
【０００８】
また、止水剤を塗布した止水部に巻回する止水シートを、その都度、治具近傍の他の場所から持ってくる手間があり、特に多量の巻回作業を繰り返し行う場合では、作業性を低下させる要因となっていた。
【０００９】
本発明は、前述した問題点に鑑みてなされたものであり、その目的は止水剤の塗布量を一定にすることができ、止水シートを巻回の都度持ち込む手間がなくなるワイヤーハーネスの止水部形成方法、ワイヤーハーネスの止水部形成治具およびワイヤーハーネスを提供することにある。
【課題を解決するための手段】
【００１０】
前述した目的を達成するために、本発明のワイヤーハーネスの止水部形成方法は、複数の電線が束ねられた電線束の所定位置における前記各電線の周面間に止水剤を充填することにより止水部を形成するために、一対の支持部を水平方向に沿って離間配置させるとともに、前記各支持部により前記電線束を略水平、かつ、所定高さに支持させ、次いで前記各支持部間における前記電線束の所定位置に前記止水剤を塗布して内部に浸透させて前記止水部を形成した後、前記止水部を止水シートにより巻回被覆するワイヤーハーネスの止水部形成方法であって、あらかじめ前記各支持部間における下方に配置した受部材に前記止水シートを載置しておき、前記止水シートにより前記電線束から漏洩する前記止水剤を受け止めた後、前記止水シートを前記止水部に巻回被覆することを特徴としている。
【００１１】
ここで、電線としては、自動車のエンジンルームから室内へ配線されるワイヤーハーネスを例示できる。また、止水剤としては、水分硬化型のシリコーンＲＴＶを例示できる。
支持部としては、治具上に立設される音叉形状の支持具を例示できる。止水シートとしては、ゴムあるいは合成樹脂からなり、可撓性を有するシートを例示できる。
【００１２】
このように構成されたワイヤーハーネスの止水部形成方法においては、漏洩した止水剤を止水シートと共に再び塗布部に戻すことができる。また、止水剤の受け止め用に使用した止水シートが巻回に使用されるので、他の場所から巻回用だけのために止水シートを持ち込む手間がなくなる。
【００１３】
従って、このワイヤーハーネスの止水部形成方法においては、止水剤の塗布量を一定にすることができるようになる。また、作業性を向上させることができるようになる。これにより、従来のような止水剤塗布量が一定にならない、あるいは止水シートを他の場所から持ってくる手間がかかるという問題を解決できることになる。
【００１４】
また、本発明のワイヤーハーネスの止水部形成治具は、複数の電線が束ねられた電線束の所定位置における前記各電線の周面間に止水剤を充填することにより止水部を形成するために、前記電線束を略水平、かつ、所定高さに支持するために一対の支持部が水平方向に沿って離間配置されたワイヤーハーネスの止水部形成治具であって、前記各支持部間における下方に配置された受部材を有し、前記受部材が止水シートを載置可能であるとともに、前記電線束から漏洩する前記止水剤を受け止め可能であることを特徴としている。
【００１５】
このように構成されたワイヤーハーネスの止水部形成治具においては、止水剤を受け止めた止水シートが支持部に巻回されることで、漏洩した止水剤が止水シートと共に再び塗布部に戻されることになり、塗布した止水剤が無駄なく回収できることになる。
【００１６】
また、本発明のワイヤーハーネスの止水部形成治具は、前記受部材が上下動可能であることを特徴としている。
【００１７】
このように構成されたワイヤーハーネスの止水部形成治具においては、止水剤の塗布時には、受部材が下方へ配置され、受部材と止水部との間に止水剤塗布のための空間が確保され、塗布作業がし易くなるとともに、止水シートの巻回時には、受部材が上方へ配置され、止水部に対して止水シートが位置決めし易くなる。
【００１８】
また、本発明のワイヤーハーネスの止水部形成治具は、前記受部材が揺動可能であることを特徴としている。
【００１９】
このように構成されたワイヤーハーネスの止水部形成治具においては、電線束のうねりに追従させて受部材が傾斜可能となり、止水部の輪郭に対して止水シートが等距離に配置され、止水部に対して止水シートが平行に巻回できることになる。
【００２０】
また、本発明のワイヤーハーネスの止水部形成治具は、前記受部材の載置面が凹状の円弧面であることを特徴としている。
【００２１】
このように構成されたワイヤーハーネスの止水部形成治具においては、受部材に載置した止水シートが円弧面となり、止水部から落ちた止水剤が止水シートからこぼれ難くなる。また、あらかじめ止水シートが受部材の載置面に沿って円弧状となり、巻回作業を低下させる方向の皺が発生し難くなり、止水部への巻回が行い易くなる。
【００２２】
そして、本発明のワイヤーハーネスは、ワイヤーハーネスの止水部形成方法により製作されたことを特徴としている。
【発明の効果】
【００２３】
本発明のワイヤーハーネスの止水部形成治具によれば、あらかじめ各支持部間における下方に配置した受部材に止水シートを載置しておき、止水シートにより電線束から漏洩する止水剤を受け止めた後、止水シートを止水部に巻回被覆するので、漏洩した止水剤を止水シートと共に再び塗布部に戻すことができ、止水剤の塗布量を一定にすることができる。また、止水剤の受け止め用に使用した止水シートが巻回に使用されるので、他の場所から巻回用だけのために止水シートを持ち込む手間がなくなり、作業性を向上させることができる。
【００２４】
また、本発明のワイヤーハーネスの止水部形成治具によれば、各支持部間における下方に配置された受部材を有し、受部材が止水シートを載置可能であるとともに、電線束から漏洩する止水剤を受け止め可能であるので、止水剤を受け止めた止水シートを支持部に巻回することで、漏洩した止水剤を止水シートと共に再び塗布部に戻すことができる。
【００２５】
そして、本発明のワイヤーハーネスの止水部形成治具によれば、受部材が上下動可能であるので、止水剤の塗布時には、受部材を下方へ配置して、塗布作業をし易くできるとともに、止水シートの巻回時には、受部材を上方へ配置して、止水部に対して止水シートを位置決めすることができる。
【００２６】
また、本発明のワイヤーハーネスの止水部形成治具によれば、受部材が揺動可能であるので、電線束のうねりに追従させて受部材を傾斜させることができ、止水部に対して止水シートを平行に巻回することができる。
【００２７】
さらに、本発明のワイヤーハーネスの止水部形成治具によれば、受部材の載置面が凹状の円弧面であるので、受部材に載置した止水シートも円弧面となり、止水部から落ちた止水剤を止水シートからこぼれ難くすることができる。また、あらかじめ止水シートが受部材の載置面に沿って円弧状となるので、止水部への巻回を行い易くすることができる。
【発明を実施するための最良の形態】
【００２８】
以下、本発明に係る実施形態を図面に基づいて詳細に説明する。
図１は本発明に係るワイヤーハーネスの止水部形成治具の概略を表す構成図、図２は図１に示した支持部の要部側面図、図３は図１に示した支持部の動作説明図、図４は図１に示した受部材の上下移動位置を（ａ）（ｂ）で表した動作説明図、図５はワイヤーハーネスに形成される止水部の斜視図、図６はグロメットと止水部との位置関係を示す断面図である。なお、以下に説明する実施の形態において、既に図において説明した部材等については、図中に同一符号あるいは相当符号を付すことにより説明を簡略化あるいは省略する。
【００２９】
本実施の形態で止水部１７を形成するワイヤハーネスＷは、自動車の電気配線用のもので、図１に示すように、複数の電線１を束ねた電線束３を止水部形成治具２１上で支持し、グロメット１９（図７参照）の挿通部位となる所定箇所の各電線の周面間に止水剤１１を塗布して、止水部１７を形成するものである。
【００３０】
本実施の形態によるワイヤーハーネスの止水部形成方法を実施するには、図１に示すワイヤーハーネスの止水部形成治具２１を使用する。
止水部形成治具２１は、基台２３と、基台２３に立設される一対の支持部２５、２５と、基台２３に対して上下動自在となった受部材２７とからなる。
【００３１】
支持部２５、２５は、上部２５ａが音叉形状となり、基台２３上で水平方向に沿って離間配置されて立設され、上部２５ａで電線束３を略水平、かつ、所定高さに支持する。受部材２７は、各支持部２５、２５間における下方に配置され、上面で止水シート１３を載置可能としている。
受部材２７は、止水部１７の下方に位置することで、電線束３から漏洩する止水剤１１を、上面に載置した止水シート１３で受け止め可能にしている。
【００３２】
受部材２７は、止水シート１３を載置する皿部２７ａと、この皿部２７ａの下面に垂設した支持軸２７ｂと、皿部２７ａより所定距離の下方に設けられたストッパ軸２７ｃとからなる。
受部材２７は、支持軸２７ｂを、基台２３の支持穴２３ａに挿入することで、昇降自在に立設される。昇降自在となった受部材２７は、ストッパ軸２７ｃが基台２３に当接することで、それ以上の下降が規制される。また、ストッパ軸２７ｃは、受部材２７を持ち上げる際の把持部ともなる。
【００３３】
受部材２７は、止水剤１１の塗布時には、図４（ａ）に示すように、下方へ配置され、止水部１７との間に止水剤塗布のための空間が確保され、塗布作業がし易くなる。
また、止水シート１３の巻回時には、図４（ｂ）に示すように、上方へ配置され、止水部１７に対して止水シート１３が位置決めし易くなる。
【００３４】
また、受部材２７は、図２に示すように、支持軸２７ｂに対して、水平軸２７ｄを介して回動自在に連結されることで、揺動可能となっている。
これにより、受部材２７は、図３に示すように、電線束３のうねりに追従させて傾斜可能となり、止水部１７の輪郭に対して止水シート１３が等距離に配置され、止水部１７に対して止水シート１３が平行に巻回できるようになっている。
【００３５】
さらに、受部材２７は、載置面２７ｅ（図１参照）が凹状の円弧面となっている。これにより、受部材２７は、載置面２７ｅに載置した止水シート１３が円弧面となり、止水部１７から落ちた止水剤１１が止水シート１３からこぼれ難くなる。
また、あらかじめ止水シート１３が受部材２７の載置面２７ｅに沿って円弧状となり、巻回作業を低下させる方向の皺が発生し難くなり、止水部１７へ巻回し易くなっている。
【００３６】
このように構成された止水部形成治具２１を用いてワイヤーハーネスＷの止水部１７を形成するには、止水部１７とする所定箇所を、支持部２５、２５の間に配置し、電線束３を基台２３上から浮上した状態に支承する。
また、あらかじめ支持部２５、２５間における下方に配置した受部材２７には、止水シート１３を載置しておく。
この状態で、電線束３の所定箇所に止水剤１１を塗布する。止水剤１１としては、一般に、水分硬化型のシリコーンＲＴＶが使用される。
【００３７】
その際、止水部１７から漏洩した止水剤１１は、受部材２７の載置面２７ｅに載置した止水シート１３により受け止められる。
所定量の止水剤１１の塗布後、止水剤１１を受け止めた止水シート１３を止水部１７に巻回被覆する。
次いで、止水シート１３を巻回した止水部１７の両端に、従来と同様にテープ１５、１５を巻回して固定し、図５に示す止水部１７の形成を完了する。
【００３８】
このようにして形成された止水部１７を有するワイヤハーネスＷは、図６に示すように、止水部１７がグロメット１９のハーネス挿通穴に緊密嵌合されてグロメット１９への装着が完了する。
【００３９】
前述したワイヤーハーネスの止水部形成方法及びワイヤーハーネスの止水部形成治具によれば、漏洩した止水剤１１を止水シート１３と共に再び塗布部に戻すことができる。
また、止水剤１１の受け止め用に使用した止水シート１３が巻回に使用されるので、他の場所から巻回用だけのために止水シート１３を持ち込む手間がなくなる。従って、止水剤１１の塗布量を一定にすることができるようになる。
さらに、作業性を向上させることができるようになる。これにより、従来のような止水剤塗布量が一定にならない、あるいは止水シート１３を他の場所から持ってくる手間がかかるという問題を解決することができる。
【００４０】
なお、本発明のワイヤーハーネスの止水部形成方法、ワイヤーハーネスの止水部形成治具２１およびワイヤーハーネスＷは、前述した実施形態に限定されるものでなく、適宜な変形、改良等が可能である。
例えば、前述した実施形態では、受部材２７に一枚の止水シート１３を載置する場合を例に説明したが、本発明に係る止水部形成方法および止水部形成治具２１は、受部材２７上に、多数枚の止水シート１３を積層して載置し、最上層のものから順次巻回に使用するものであってもよい。このようにすれば、止水シート１３の供給回数を大幅に低減でき、さらに作業性を向上させることができる。
【００４１】
その他、前述した実施形態において例示した電線、電線束、止水剤、止水部、支持部、止水シート、受部材、載置面、ワイヤーハーネスの止水部形成治具等の部材、形状、寸法、形態、数、配置箇所等は本発明を達成できるものであれば任意であり、限定されない。
【図面の簡単な説明】
【００４２】
【図１】本発明に係るワイヤーハーネスの止水部形成治具の概略を表す構成図である。
【図２】図１に示した支持部の要部側面図である。
【図３】図１に示した支持部の動作説明図である。
【図４】図１に示した受部材の上下移動位置を（ａ）（ｂ）で表した動作説明図である。
【図５】ワイヤーハーネスに形成される止水部の斜視図である。
【図６】グロメットと止水部との位置関係を示す断面図である。
【図７】従来の止水部形成手順の説明図である。
【図８】他の従来の止水部構造の断面図である。
【符号の説明】
【００４３】
１  電線
３  電線束
１１  止水剤
１７  止水部
１３  止水シート
２１  ワイヤーハーネスの止水部形成治具
２５  支持部
２７  受部材
２７ｅ  載置面
Ｗ  ワイヤーハーネス
【図１】
2005071792.tif 000003
【図２】
2005071792.tif 000004
【図３】
2005071792.tif 000005
【図４】
2005071792.tif 000006
【図５】
2005071792.tif 000007
【図６】
2005071792.tif 000008
【図７】
2005071792.tif 000009
【図８】
2005071792.tif 000010